【事件の表示】
　特願２００３−１７９０６５「反射型液晶表示装置とその製造方法」拒絶査定不服審判事件〔平成１６年　３月　４日出願公開、特開２００４−　７０３１５〕について、次のとおり審決する。
【結　論】
　本件審判の請求は、成り立たない。
【理　由】
１．手続の経緯・本願発明
　本願は、平成１５年６月２４日（パリ条約による優先権主張２００２年７月３１日、韓国）に特許出願したものであって、平成１８年７月３１日に手続補正がなされ、同年８月１８日付けで拒絶査定がなされ、これに対し、同年１１月２７日に拒絶査定不服審判請求がなされたものである。
　そして、その請求項に係る発明は、平成１８年７月３１日付け手続補正書で補正された特許請求の範囲の請求項１〜３２に記載された事項により特定されるものであると認められるところ、請求項１に係る発明は次のものである。
　
「【請求項１】　画素領域を有する基板と；
　前記基板上部に形成されたゲート配線と；
　前記ゲート配線と交差するデータ配線と；
　前記ゲート配線とデータ配線に連結して、ゲート電極とアクティブ層とソース電極とドレイン電極とを含む薄膜トランジスタと；
　前記ドレイン電極と接触していて前記データ配線を完全に覆い、相互にギャップだけ離隔されて形成される第１反射電極及び第２反射電極を含む反射型液晶表示装置において、
　前記データ配線は、第１部分乃至第３部分を有する折れた形状であり、前記ゲート配線に平行した第１部分は第２部分及び第３部分を連結し、前記第２部分及び第３部分は各々前記第１反射電極及び第２反射電極の下部に形成されて、前記ギャップと前記ゲート配線で構成された領域だけをブラックマトリクスで遮ることを特徴とする反射型液晶表示装置。」（以下「本願発明」という。）
　
　
２．刊行物の記載事項
　本願の優先日前に頒布され、原査定の拒絶の理由に引用された刊行物である特開平１１−３５２５１３号公報（以下「引用刊行物」という。）には、図面とともに以下の事項が記載されている。
　
（ア）「【００１２】
【課題を解決するための手段】本発明の液晶表示装置は、基板上にそれぞれスイッチング素子を有する画素電極がマトリクス状に配置され、列方向に複数の信号線が配列され、列毎にそれぞれの前記信号線に前記スイッチング素子が共通接続されたアレイ基板と、前記アレイ基板と対向するように配置され、基板上に透光性対向電極が設けられた対向基板と、前記アレイ基板と前記対向基板との間に挟持された液晶層とを備え、各信号線は、列方向に沿って、該信号線に接続される画素電極と異なる信号線に接続される画素電極とに交互に覆われていることを特徴とする。
【００１３】また、前記画素電極が不透明反射電極であってもよい。」 
（イ）「【００１８】図１に、本実施の形態による液晶表示装置の横方向の断面構造を示し、この図１におけるＡ−Ａ線に沿う縦方向の断面構造を図２に示す。本装置２００は、スイッチング素子としてＴＦＴ３０ａ、３０ｂ、３０ｃ、…、３００ａ、３００ｂ、３００ｃ、…がマトリクス状に配置されたアレイ基板２０と、透光性対向電極５４が形成された対向基板８０と、これらの基板２０及び８０の間に挟持された液晶層９０とを備えている。
【００１９】アレイ基板２０は、基板２２上において行方向（図中左右方向）に沿って複数本配列され、同方向に沿って配置されているＴＦＴ３０ａ、３０ｂ、３０ｃ、…、３００ａ、３００ｂ、３００ｃ、…のゲートが共通接続された走査線２４、２４０…と、これと直交する列方向（図中上下方向）に沿って複数本配列され、この方向に沿って配置されている信号線２７ａ、２７ｂ、２７ｃ、…、とが配置されている。ここで、信号線２７ａはＴＦＴ３０ａ、３００ａ…のソース、ドレインの一方の端子が共通接続され、信号線２７ｂはＴＦＴ３０ｂ、３００ｂ、…の一方の端子が共通接続され、信号線２７ｃはＴＦＴ３０ｃ、３００ｃ、…の一方の端子が共通接続されている。ＴＦＴ３０ａ、３０ｂ、３０ｃ、…、３００ａ、３００ｂ、３００ｃ、…の他方の端子は、絶縁膜を介して信号蓄積容量線２６との間で蓄積容量を構成し、さらにコンタクト２７を介して後述する画素電極５０ａ、５０ｂ、５０ｃ、…、５００ａ、５００ｂ、５００ｃ、…に接続されている。
【００２０】より詳細には、ＴＦＴ３０ａ、３０ｂ、３０ｃ、…、３００ａ、３００ｂ、３００ｃ、…は、チャネル領域が形成される半導体層と、その両端に位置しソース、ドレイン電極とオーミック接続される低抵抗半導体層とを有する。低抵抗半導体層上に、ソース電極、ドレイン電極が接続され、このうちの一方の電極がコンタクトホール２９を介して画素電極５０ａ、５０ｂ、５０ｃ、…、５００ａ、５００ｂ、５００ｃ、…に接続されている。
【００２１】走査線２４、２４０、…、信号線２７ａ、２７ｂ、２７ｃ、…、ＴＦＴ３０ａ、３０ｂ、３０ｃ、…、３００ａ、３００ｂ、３００ｃ、…の上面に図示されていない保護膜が形成され、保護膜の上面には例えばアクリル系樹脂から成る有機絶縁層１１８が形成されている。この有機絶縁層１１８の上面に、各画素毎に対応して反射画素電極５０ａ、５０ｂ、５０ｃ、…、５００ａ、５００ｂ、５００ｃ、…が形成されている。反射画素電極５０ａ、５０ｂ、５０ｃ、…、５００ａ、５００ｂ、５００ｃ、…は、図中上方から入射された外部光を反射する作用を有するように、例えば銀やアルミニウム、あるいはこれらの合金等の反射率の高い材料により形成されている。
【００２２】・・・（中略）・・・。
【００２３】アレイ基板２０上に設けられたＴＦＴ３０ａ、３０ｂ、…により反射画素電極５０ａ、５０ｂ、…に印加される信号電位が画素毎にスイッチングされる。図中上方から対向基板８０を介して入射された外部光が、反射画素電極５０ａ、５０ｂ、…により反射され、画素を単位として液晶層９０により透過率が制御されて所定の画像が形成される。
【００２４】そして、図４及び図５に示された従来の装置と異なり、本実施の形態では反射画素電極５０ａ、５０ｂ、５０ｃ、…、５００ａ、５００ｂ、５００ｃ、…のそれぞれの下方には、有機絶縁層１１８を介して２本の信号線が対向するように配置されている。例えば、反射画素電極５０ａに対しては、この画素に対応する信号線２７ａの部分２７ａ１のみならず、隣接する画素に対応する信号線２７ｂの部分２７ｂ２が対向している。反射画素電極５０ｂに対しては、この画素に対応する信号線２７ｂの部分２７ｂ１のみならず、隣接する画素に対応する信号線２７ｃの部分２７ｃ２が対向している。さらに、反射画素電極５０ａと対向する信号線２７ａの部分２７ａ１の面積と、信号線２７ｂの部分２７ｂ２の面積とは略同一であり、同様に反射画素電極５０ｂと対向する信号線２７ｂの部分２７ｂ１の面積と、信号線２７ｃの部分２７ｃ２の面積とは略同一である。
【００２５】このように配線することで、絶縁膜１１８を介してそれぞれの反射画素電極５０ａ、５０ｂ、５０ｃ、…、５００ａ、５００ｂ、５００ｃ、…が二本の信号線２７ａ、２７ｂ、２７ｃ、…と容量結合する。例えば、反射画素電極５０ａは信号線２７ａ及び２７ｂと略均等な面積で容量結合し、これに隣接する反射画素電極５０ｂは信号線２７ｂ及び２７ｃと略均等な面積で容量結合する。このため、ある反射画素電極とこれに隣接する他の反射画素電極との間の輝度差が緩和され、クロストークを防止することができる。この結果、図６に示されたように緑の中間調背景３０１にラスターウィンドウ３０２を表示させた場合、ウィンドウ３０２の下に隣接する画素３０３に印加される電圧は、従来よりもウィンドウを表示する電圧の影響を受けず、他の領域の画素３０４に印加される本来の電圧ＶP0に接近したものとなる。従って、ウィンドウ３０２の端部において縦クロストークの発生が防止される。」 
（ウ）引用刊行物の液晶表示装置２００は、反射画素電極５０ａ、５０ｂ、５０ｃ、…、５００ａ、５００ｂ、５００ｃを備えているから、「反射型液晶表示装置」といえる。
（エ）引用刊行物の「基板」は「画素領域を有する」ものである、といえることは明らかである。
（オ）引用刊行物において、
（オ−１）反射画素電極５０ａ及び反射画素電極５０ｂは、信号線２７を完全に覆っていること、が図２から見て取れる。
（オ−２）液晶表示装置２００は、相互に所定間隔だけ離隔されて形成される反射画素電極５０ａ及び反射画素電極５０ｂを含むこと、が図１から見て取れる。
（オー３）信号線２７ｂは、走査線に平行した第１部分と、各々反射画素電極５０ａ及び反射画素電極５０ｂの下部に形成された第２部分２７ｂ２及び第３部分２７ｂ１を有する折れた形状であり、前記第１部分は第２部分２７ｂ２及び第３部分２７ｂ１を連結していること、が図１及び図２から見て取れる。
 　 
　よって、これらの記載を総合すると、引用刊行物には、次の発明（以下「引用発明」という。）が記載されていると認められる。 
 　 
「画素領域を有する基板と、；
　前記基板上に配列された走査線と；
　前記走査線と直交する方向に配列された信号線と；
　前記走査線と信号線に共通接続され、ゲートと半導体層とソース電極とドレイン電極とを含むＴＦＴと；
　前記ドレイン電極と接続していて前記信号線を完全に覆い、相互に所定間隔だけ離隔されて形成される反射画素電極５０ａ及び反射画素電極５０ｂを含む反射型液晶表示装置において、
　前記信号線は、第１部分乃至第３部分を有する折れた形状であり、前記走査線に平行した第１部分は第２部分及び第３部分を連結し、前記第２部分及び第３部分は各々前記反射画素電極５０ａ及び反射画素電極５０ｂの下部に形成された反射型液晶表示装置。」 
　
　
３．対比、判断
　本願発明と引用発明を対比する。
　引用発明の「画素領域」、「基板」、「（基板上に配列された）走査線」、「（走査線と直交する方向に配列された）信号線」、「共通接続され」、「ゲート」、「半導体層」、「ソース電極」、「ドレイン電極」、「ＴＦＴ」、「接続して」、「所定間隔」、「反射画素電極５０ａ」、「反射画素電極５０ｂ」、「反射型液晶表示装置」、「第１部分」、「第２部分」及び「第３部分」は、それぞれ、本願発明の「画素領域」、「基板」、「（基板上部に形成された）ゲート配線」、「（ゲート配線と交差する）データ配線」、「連結して」、「ゲート電極」、「アクティブ層」、「ソース電極」、「ドレイン電極」、「薄膜トランジスタ」、「接触して」、「ギャップ」、「第１反射電極」、「第２反射電極」、「反射型液晶表示装置」、「第１部分」、「第２部分」及び「第３部分」に相当する。
 　  
　したがって、両者は、　  
「画素領域を有する基板と；
　前記基板上部に形成されたゲート配線と；
　前記ゲート配線と交差するデータ配線と；
　前記ゲート配線とデータ配線に連結して、ゲート電極とアクティブ層とソース電極とドレイン電極とを含む薄膜トランジスタと；
　前記ドレイン電極と接触していて前記データ配線を完全に覆い、相互にギャップだけ離隔されて形成される第１反射電極及び第２反射電極を含む反射型液晶表示装置において、
　前記データ配線は、第１部分乃至第３部分を有する折れた形状であり、前記ゲート配線に平行した第１部分は第２部分及び第３部分を連結し、前記第２部分及び第３部分は各々前記第１反射電極及び第２反射電極の下部に形成された反射型液晶表示装置。」　  
である点で一致し、次の点で相違する。　  
 　  
相違点
　本願発明は、第１反射電極及び第２反射電極が離隔されたギャップとゲート配線で構成された領域だけをブラックマトリクスで遮るのに対し、引用発明はそのようなブラックマトリクスが設けられていない点。
 　 
　上記相違点につき検討する。
　二つの画素電極が離隔されたギャップに配置されるゲート配線及びデータ配線から反射される光を遮るために、該ギャップ内のゲート配線及びデータ配線を覆い、反射される光を遮るようにブラックマトリクスを設ける液晶表示装置は、本願の優先日前に周知であり（例えば、特開２００１−２７２６６８号公報（【００３９】、【００４９】、【００５６】、【００５７】）、特開平２００１−１８８２４９号公報（【００４９】〜【００５１】、【００７０】〜【００７４】）等参照。）、この周知技術を引用発明に適用し、その際、第１反射電極及び第２反射電極が離隔されたギャップとゲート配線で構成された、ゲート配線及びデータ配線から光が反射される領域だけをブラックマトリクスで遮るようにすることは、当業者が容易になし得ることである。
　
　そして、本願発明によってもたらされる効果は、引用発明及び上記周知技術から当業者が予測し得る程度のものである。
　
　
４．むすび
　したがって、本願発明は、引用発明及び周知技術から当業者が容易に発明をすることができたものであるから、特許法第２９条第２項の規定により特許を受けることができない。
　
　よって、結論のとおり審決する。